(57)【要約】  チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｋＴの後エッジ部の長さ調整量ｃｋＴが、ｂｄＴ＋ｃｄＴ＞ｂｋＴ＋ｃｋＴを満たす。
2014054275.tif 000002
【特許請求の範囲】
【請求項１】
種々の長さの複数の記録マークを形成することで、情報を記録する光情報記録媒体であって、
チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、
最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、
ｂｄＴ＋ｃｄＴ＞ｂｋＴ＋ｃｋＴ
を満たすことを特徴とする光情報記録媒体。
【請求項２】
前記ｄからｋ−２の範囲をとる整数をｘとし、ｄ＋１からｋ−１の範囲をとる整数をｙとし、ｘ＜ｙとしたとき、
記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、
ｂｘＴ＋ｃｘＴ＞ｂ（ｘ＋１）Ｔ＋ｃ（ｘ＋１）Ｔ
を満たすとともに、
記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、
ｂｙＴ＋ｃｙＴ≧ｂ（ｙ＋１）Ｔ＋ｃ（ｙ＋１）Ｔ
を満たすことを特徴とする請求項１記載の光情報記録媒体。
【請求項３】
前記光情報記録媒体から情報を読み出すためのレーザ光の波長をλとし、前記レーザ光を前記光情報記録媒体に集光させるレンズの開口数をＮＡとしたとき、
前記複数の記録マークは、λ／（４×ＮＡ）よりも短い記録マークを含むことを特徴とする請求項１又は２記載の光情報記録媒体。
【請求項４】
前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、
記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、
ＷｐＴ＞Ｗ（ｐ＋１）Ｔ
を満たすとともに、
記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、
ＷｑＴ≧Ｗ（ｑ＋１）Ｔ
を満たすことを特徴とする請求項１〜３のいずれかに記載の光情報記録媒体。
【請求項５】
種々の長さの複数の記録マークを形成することで、情報を記録する光情報記録媒体であって、
前記光情報記録媒体は、記録パラメータを格納するコントロール情報格納部を備え、
チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、
前記記録パラメータは、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす記録マークを形成するための記録パラメータを含むことを特徴とする光情報記録媒体。
【請求項６】
前記ｄからｋ−２の範囲をとる整数をｘとし、ｄ＋１からｋ−１の範囲をとる整数をｙとし、ｘ＜ｙとしたとき、
前記記録パラメータは、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす記録マークを形成するための記録パラメータを含むことを特徴とする請求項５記載の光情報記録媒体。
【請求項７】
前記光情報記録媒体から情報を読み出すためのレーザ光の波長をλとし、前記レーザ光を前記光情報記録媒体に集光させるレンズの開口数をＮＡとしたとき、
前記複数の記録マークは、λ／（４×ＮＡ）よりも短い記録マークを含むことを特徴とする請求項５又は６記載の光情報記録媒体。
【請求項８】
前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、
記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、
ＷｐＴ＞Ｗ（ｐ＋１）Ｔ
を満たすとともに、
記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、
ＷｑＴ≧Ｗ（ｑ＋１）Ｔ
を満たすことを特徴とする請求項５〜７のいずれかに記載の光情報記録媒体。
【請求項９】
種々の長さの複数の記録マークを光情報記録媒体に形成することで、情報を記録する光情報記録装置であって、
レーザ光を出射する光源と、
前記レーザ光を前記光情報記録媒体に集光するレンズと、
前記光情報記録媒体に記録マークを形成する記録部とを備え、
チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、
前記記録部は、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす前記記録マークを形成することを特徴とする光情報記録装置。
【請求項１０】
前記ｄからｋ−２の範囲をとる整数をｘとし、ｄ＋１からｋ−１の範囲をとる整数をｙとし、ｘ＜ｙとしたとき、
前記記録部は、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす前記記録マークを形成することを特徴とする請求項９記載の光情報記録装置。
【請求項１１】
前記光情報記録媒体に前記記録マークを形成するための記録パラメータを前記光情報記録媒体から再生する再生部をさらに備え、
前記記録部は、前記再生部によって再生された前記記録パラメータを用いて、前記光情報記録媒体に前記記録マークを形成することを特徴とする請求項９又は１０記載の光情報記録装置。
【請求項１２】
前記光情報記録媒体に前記記録マークを形成するための記録パラメータを保持するメモリ部をさらに備え、
前記記録部は、前記メモリ部に保持されている前記記録パラメータを用いて、前記光情報記録媒体に前記記録マークを形成することを特徴とする請求項９又は１０記載の光情報記録装置。
【請求項１３】
前記光源から出射される前記レーザ光の波長をλとし、前記レンズの開口数をＮＡとしたとき、
前記複数の記録マークは、λ／（４×ＮＡ）よりも短い記録マークを含むことを特徴とする請求項９〜１２のいずれかに記載の光情報記録装置。
【請求項１４】
前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、
前記記録部は、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、
ＷｐＴ＞Ｗ（ｐ＋１）Ｔ
を満たすとともに、
記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、
ＷｑＴ≧Ｗ（ｑ＋１）Ｔ
を満たすことを特徴とする請求項９〜１３のいずれかに記載の光情報記録装置。
【発明の詳細な説明】
【技術分野】
【０００１】
本発明は、高密度に記録マークを形成することで大容量の情報を記録可能な光情報記録媒体、及び光情報記録媒体に高密度に情報を記録する光情報記録装置に関するものである。
【背景技術】
【０００２】
大容量の情報記録媒体として光情報記録媒体は幅広く用いられている。光情報記録媒体の大容量化のための技術開発は、ＣＤ、ＤＶＤ及びＢＤ（Ｂｌｕ−ｒａｙ（登録商標）  Ｄｉｓｃ）のように、より短波長のレーザ光と、より高い開口数の対物レンズとを用いることで行われてきた。最近では、クラウドと呼ばれるインターネット上のオンラインストレージを利用したサービスが年々拡大してきており、ＨＤＤ（ハードディスクドライブ）又はフラッシュメモリも含めたストレージのさらなる大容量化が望まれている。【０００３】
光情報記録媒体のさらなる大容量化については次に述べるような開発が行われている。【０００４】
まず、レーザ光の短波長化は、３００ｎｍ台の紫外線領域のレーザ光を出射する半導体レーザの実用化がなされている。しかし、空気中では３００ｎｍ以下の紫外線領域の光は著しく減衰するので、レーザ光の短波長化による大きな効果は望めない。【０００５】
次に、高開口数化については、開口数が１以上となるＳＩＬ（ソリッドイマージョンレンズ）を用いた方式で記録面密度を高める技術が開発されている。また、光の回折限界よりも小さな領域で起こる近接場光を利用することで記録面密度を高める研究も行われている。【０００６】
さらに、記録面を多層化することで、大容量化を目指す開発も行われている。【０００７】
また、光情報記録媒体に形成する記録マークを短くすることで記録密度を高めることも可能である。【０００８】
光情報記録媒体では、記録マークの長さ、記録マークの位置、又は記録マークのエッジ位置を用いて、情報が記録される。そのため、光情報記録媒体へ記録マークを形成する際に、記録マークの長さ、記録マークの位置、又は記録マークのエッジ位置を適切に調整することが必要となる。【０００９】
従来の光情報記録媒体へ記録マークを形成する方法としては、再生波形が情報点と一致するように種々の長さの記録マークの前エッジ部及び後エッジ部を一定長ずらして形成することで高密度記録を実現する方法があった（例えば、特許文献１参照）。【００１０】
図１７は、特許文献１に記載された従来の光情報記録媒体に形成された記録マークとビームスポットとの関係を示す図である。【００１１】
図１７において、チャネルクロックＴごとの情報１０１が、記録マーク１０２をビームスポット１０５によって再生した再生信号１０３とスライスレベル１０４とのクロス点と一致するように、記録マーク１０２のエッジ位置が調整されている。このとき、記録マークの前エッジ部及び後エッジ部が円弧状に形成されるとし、トラック幅を２ａとし、前エッジ部の曲部の長さをｂとし、後エッジ部の曲部の長さをｃとし、ビームスポット１０５の半径をｗとし、定数をαとしたときに、前エッジ位置の平均値は、情報１０１の切り替わり点に対して、下記の式（１）に比例させて前方にずらされると共に、後エッジ位置の平均値は、情報１０１の切り替わり点に対して、下記の式（２）に比例させて後方又は前方にずらされる。【００１２】
【数１】
2014054275.tif 000003
【００１３】
【数２】
2014054275.tif 000004
【００１４】
また、記録密度を高めることで、短い記録マークの長さが検出系に依存する分解能の限界に近づいてくる。光情報記録媒体では、検出系に依存する分解能とは、ビームスポットの大きさによる光学的な分解能を指す。【００１５】
その分解能の限界のため、再生信号では、符号間干渉の増大及びＳＮＲ（Ｓｉｇｎａｌ  Ｎｏｉｓｅ  Ｒａｔｉｏ）の劣化がより顕著となってくる。それにより、スライスレベルを用いた信号処理方法では、再生信号から情報を復号することが困難になってくる。【００１６】
そのため、信号処理方法として、ＰＲＭＬ（Ｐａｒｔｉａｌ  Ｒｅｓｐｏｎｓｅ  Ｍａｘｉｍｕｍ  Ｌｉｋｅｌｉｈｏｏｄ）方式等を用いることが一般的になりつつある。【００１７】
ＰＲＭＬ方式は、既知の符号間干渉が起こることを前提としたパーシャルレスポンス（ＰＲ）方式と、再生信号から最も確からしい信号系列を選択復号する最尤復号（ＭＬ）方式とを組み合わせた技術である。【００１８】
ＰＲＭＬ方式により、従来のスライスレベル判定方式よりも再生信号の復号性能が向上することが知られている。【００１９】
図１８は、従来の光情報記録媒体の記録マークを再生した再生信号を示す説明図である。ＰＲ方式は、周辺のチャネルクロック位置のエネルギーが漏れこんで、符号間干渉が起きていることを前提としている。そのため、ＰＲ方式の信号処理方法では、図１８に示すように、１チャネルクロック（１Ｔ）分の孤立マーク２０１を再生した信号を１Ｔ孤立信号２０２としたとき、３Ｔ記録マーク２０５の再生信号２０４が、チャネルクロックごとの情報２０３に対応させて、１Ｔ孤立信号２０２を略足し合わせた信号となることを前提としている。こうすることで、線形な信号処理方法により復号を行うことが可能となる。ここでは、説明のために３Ｔ分の記録マークについてのみ説明したが、情報記録媒体の変調フォーマットによって様々な記録マーク長さがあり、３Ｔ以外の長さの記録マークについても上記と同様である。【００２０】
ＰＲ方式により、記録マークの再生信号が１Ｔ孤立信号２０２の略足し合わせとなるように、記録マークの長さ及びエッジ位置が調整される。これにより、光情報記録媒体が、検出系の分解能の限界に近い又は検出系の分解能よりも小さい記録マークを含んでいる場合においても、ＳＮＲが高い再生信号を得ることが可能な高密度記録が実現される。【００２１】
しかしながら、特許文献１に示された従来の光情報記録媒体の構成では、長さが短い記録マークの幅と、長さが長い記録マークの幅とが略一致する範囲内でのみ高密度化が可能であり、さらなる高密度化については、考慮されていない。【００２２】
記録密度をより高める場合、ビームスポットに対して非常に小さな記録マークによる記録が行われる。短いチャネルクロック長の記録マークは、ビームスポット内に複数個同時に存在する。【００２３】
また、記録マークの幅は、記録マークの長さによって異なってくることも考えられる。【００２４】
このため、ビームスポット内に複数個同時に存在できるほどの小さな記録マークを含んだ高密度記録が行われる場合又はＭＴＦ（Ｍｏｄｕｌａｔｉｏｎ  Ｔｒａｎｓｆｅｒ  Ｆｕｎｃｔｉｏｎ）カットオフよりも短い記録マークを含んだ高密度記録が行われる場合、長さ及び幅が異なる全ての記録マークに対して、従来のようにエッジ位置を一定長ずらすだけでは、特に短い記録マークに関わる再生信号と、孤立信号を足し合わせた信号との間に差異が生じ、この差異が再生歪となる。再生歪が発生することでＳＮＲが悪化してしまい、情報のエラーレートが悪化する。そのため、従来の光情報記録媒体は、より高密度な記録を実現できないという課題を有していた。【００２５】
本発明者らは、数値計算実験により、上記の課題が起こることを実際に確認した。この数値計算実験については、後述する。
【先行技術文献】
【特許文献】
【００２６】
【特許文献１】特開平５−１５９２９８号公報
【発明の概要】
【００２７】
本発明は、上記の問題を解決するためになされたもので、より高密度に記録マークを形成することができる光情報記録媒体及び光情報記録装置を提供することを目的とするものである。
【００２８】
本発明の一局面に係る光情報記録媒体は、種々の長さの複数の記録マークを形成することで、情報を記録する光情報記録媒体であって、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす。
【００２９】
本発明によれば、最短記録マークｄＴの前エッジ部の長さ調整量ｂｄＴ及び後エッジ部の長さ調整量ｃｄＴが、最長記録マークｋＴの前エッジ部の長さ調整量ｂｋＴ及び最長記録マークｄＴの後エッジ部の長さ調整量ｃｋＴよりも大きくなるので、略線形性を保った再生信号を得ることが可能となり、再生歪を抑制したＳＮＲの高い再生信号を得ることが可能となる。その結果、より高密度に記録マークを形成することができる。
【００３０】
本発明の目的、特徴及び利点は、以下の詳細な説明と添付図面とによって、より明白となる。
【図面の簡単な説明】
【００３１】
【図１】光情報記録媒体上に形成される記録マークの一例を示す図である。
【図２】光情報記録媒体から記録マークを再生する処理について説明するための図である。
【図３】光情報記録媒体の数値計算実験の原理を説明するための図である。
【図４】孤立信号を生成する方法の一例を説明するための図である。
【図５】１Ｔ長さが７５．０ｎｍである場合の２Ｔから８Ｔの記録マークの再生信号及び足し合わせた信号の比較結果を示す図である。
【図６】１Ｔ長さが５５．０ｎｍである場合の２Ｔから８Ｔの記録マークの再生信号及び足し合わせた信号の比較結果を示す図である。
【図７】１Ｔ長さが３７．５ｎｍである場合の２Ｔから８Ｔの記録マークの再生信号及び足し合わせた信号の比較結果を示す図である。
【図８】１Ｔ長さが２７．５ｎｍである場合の２Ｔから８Ｔの記録マークの再生信号及び足し合わせた信号の比較結果を示す図である。
【図９】本実施の形態において、１Ｔ長さが、５５．０ｎｍ、３７．５ｎｍ及び２７．５ｎｍである場合のチャネルクロック長さと記録マーク長さの調整量との関係を示す図である。
【図１０】本発明の実施の形態１における光情報記録媒体上に形成された種々の長さの記録マークを示す図である。
【図１１】本発明の実施の形態２における光情報記録媒体の構成を示す図である。
【図１２】本発明の実施の形態３における光情報記録再生装置の構成を示す図である。
【図１３】光情報記録媒体の記録面の一部を拡大した図である。
【図１４】本発明の実施の形態３における光情報記録媒体上に形成される記録マークの長さについて説明するための図である。
【図１５】２値データに対する記録パルスの一例を示す図である。
【図１６】（Ａ）は、記録パルスがＬ型パルスである場合のパルス波形の一例を示す図であり、（Ｂ）は、記録パルスがＣａｓｔｌｅ型パルスである場合のパルス波形の一例を示す図であり、（Ｃ）は、記録パルスがマルチパルスである場合のパルス波形の一例を示す図である。
【図１７】従来の光情報記録媒体に形成された記録マークとビームスポットとの関係を示す図である。
【図１８】従来の光情報記録媒体の記録マークを再生した再生信号を示す説明図である。
【発明を実施するための形態】
【００３２】
まず、光情報記録媒体に形成される記録マークの長さと、再生信号とに関する数値計算実験について説明する。
【００３３】
図１は、光情報記録媒体上に形成される記録マークの一例を示す図である。図２は、光情報記録媒体から記録マークを再生する処理について説明するための図である。図３は、光情報記録媒体の数値計算実験の原理を説明するための図である。
【００３４】
図１に示すように、記録マークの幅は、記録マークの長さによって異なる。光情報記録媒体では、図２に示すように、レーザ光４０１がレンズ４０２によって記録面に集光されることでビームスポット４０３が形成される。図２中において、破線はレーザ光４０１の波面４０４を表しており、角度θは光軸に対する最大角度を表している。角度θは、レンズ４０２の開口数に依存する。
【００３５】
ビームスポット４０３の強度分布ｕ（ｘ，ｙ）は、図３に示すような、レンズ４０２に相当する開口面５０１と、記録面に相当する集光面５０２とを考え、下記の式（３）に示すフレネル回折積分を用いて求めることができる。
【００３６】
【数３】
2014054275.tif 000005
【００３７】
式（３）において、λは、レーザ光４０１の波長である。また、ｆは、焦点距離であり、開口面５０１と集光面５０２との間の距離である。
【００３８】
また、式（３）は、レンズの焦点距離において、フラウンホーファー回折における近似と同様の形に変換することができ、積分項はフーリエ変換とみなすことができる。その結果、式（３）は、下記の式（４）に近似することができる。
【００３９】
【数４】
2014054275.tif 000006
【００４０】
式（４）より、記録面のビームスポット４０３の強度分布は、レンズ４０２を通過する前のレーザ光４０１の強度分布と、レンズ４０２の開口の分布との積をフーリエ変換することで表されることがわかる。上記を踏まえ、数値計算実験において、レーザ光４０１の強度分布をＡ（ｘ０，ｙ０）とし、レンズ４０２の開口の分布をｌ（ｘ０，ｙ０）とし、記録面の記録マーク部と非記録マーク部との反射率分布をＲ（ｘ，ｙ）とすると、光情報記録媒体から反射してきたレーザ光がレンズを通過して得られる光強度分布Ｉ（ｘｒ，ｙｒ）は式（５）となる。
【００４１】
【数５】
2014054275.tif 000007
【００４２】
式（５）で得られた光強度分布Ｉ（ｘｒ，ｙｒ）の積分値が再生信号Ｓｉｇとなる。再生信号Ｓｉｇは、下記の式（６）で表される。
【００４３】
【数６】
2014054275.tif 000008
【００４４】
式（６）において、αは、光学系のけられ、光検出器の受光感度、及び増幅器の係数などを含んだ係数を表す。
【００４５】
次に、数値計算実験の具体的な結果を示す。一般的に、ＢＤのチャネルクロックに相当する１Ｔ長さは７４．５ｎｍである。１Ｔ長さが、７５．０ｎｍ、５５．０ｎｍ、３７．５ｎｍ及び２７．５ｎｍである場合を例にして、２Ｔから８Ｔまでの記録マークのエッジ位置を一定長ずらした際の再生信号を数値計算によって求めた。
【００４６】
ここで、記録マークの形状は、略楕円形状であり、前エッジ部及び後エッジ部の形状は、記録マークの幅を直径とする円弧状とした。また、長さが幅よりも小さくなる記録マークについては、長さを直径とした円形状となるようなモデルとした。なお、記録マークの長さとは、トラックに沿った方向の記録マークの大きさであり、記録マークの幅とは、半径方向の記録マークの大きさである。一般的に、集光されたレーザ光の吸収により発生した熱によって、光情報記録媒体に情報が記録される。レーザ光の強度分布は略円形状であるため、形成される記録マークのエッジ部は略円弧状となる。また、長さが短い記録マークの形状は略円形状となる。
【００４７】
また、トラックピッチは、ＢＤ（約３２０ｎｍ）とほぼ同じ３１７．５ｎｍとし、グルーブ幅は、トラックピッチの半分の１５８．７５ｎｍとした。長さが長い記録マークの幅は、グルーブ幅と同じ１５８．７５ｎｍとした。
【００４８】
また、ビームスポットに関係する値として、レーザ光の波長λを４０５ｎｍとし、レンズの開口数ＮＡを０．８５とした。このとき、ビームスポット径は、一般的にレーザ光強度がピーク値の１／ｅ２となる範囲を示す。ビームスポット径は、０．８２×（ＮＡ／λ）≒３９０ｎｍとなる。３９０ｎｍ＞３×ｎＴとなるチャネルクロック長では、ｎＴ記録マーク間にｎＴスペースが存在する領域が、ビームスポット径内に収まることになる。
【００４９】
また、レーザ光を用いて記録マークを再生した際の再生信号の振幅は、記録マークが短くなるに従って低下し、光学的な分解能の限界でゼロとなる。同じチャネルクロック長さに対応した記録マークとスペースとの繰返し周期の逆数を空間周波数という。また、空間周波数の伝達関数をＯＴＦ（Ｏｐｔｉｃａｌ  Ｔｒａｎｓｆｅｒ  Ｆｕｎｃｔｉｏｎ）という。また、ＯＴＦの空間周波数に対する振幅依存性を表す関数をＭＴＦ（Ｍｏｄｕｌａｔｉｏｎ  Ｔｒａｎｓｆｅｒ  Ｆｕｎｃｔｉｏｎ）という。このとき、記録される記録マークのチャネルクロック長をＰとし、ｘ＝λ／（４×Ｐ×ＮＡ）とすると、ＭＴＦ（ｘ）は、ＭＴＦ（ｘ）＝（２／π）（ａｒｃｃｏｓ（ｘ）−ｘ（１−ｘ２）１／２）という近似関数で表すことができる。ＭＴＦで示される信号振幅は、空間周波数が高くなるに従ってほぼ直線的に低下する。信号振幅がゼロとなる再生の限界周波数（ｘ＝１）を、ＭＴＦカットオフといい、Ｐｃｕｔｏｆｆ＝λ／（４×ＮＡ）となる。波長λを４０５ｎｍとし、ＮＡを０．８５とすると、Ｐｃｕｔｏｆｆは約１１９ｎｍとなる。
【００５０】
すなわち、光情報記録媒体から情報を読み出すためのレーザ光の波長をλとし、前記レーザ光を光情報記録媒体に集光させるレンズの開口数をＮＡとしたとき、複数の記録マークは、λ／（４×ＮＡ）よりも短い記録マークを含む。
【００５１】
また、レーザ光の強度分布Ａ（ｘ０，ｙ０）は、ガウス分布とした。レンズの開口の分布ｌ（ｘ０，ｙ０）は、レンズ半径内を“１”とし、レンズ半径外を“０”とする分布とした。記録面の反射率分布Ｒ（ｘ，ｙ）は、非記録マーク部の反射率を２０％とし、記録マーク部の反射率を６％として計算した。
【００５２】
以上の条件によって数値計算した種々の長さの記録マークを再生した信号が、１Ｔ孤立信号を足し合わせた信号に近くなっていれば、略線形性が保たれており、ＰＲ方式によって、高ＳＮＲの再生信号を得ることが可能と言える。
【００５３】
ここで、１Ｔ孤立信号の求め方にも工夫をした。図４は、孤立信号を生成する方法の一例を説明するための図である。従来では、１チャネルクロック分の孤立マークを再生した信号を足し合わせていた。これに対し、例えば、図４では、符号間干渉の影響が少ない長い記録マークの前エッジ部を再生した前エッジ部再生信号１１０１と、前エッジ部再生信号１１０１を１チャネルクロック分シフトさせた前エッジ部１Ｔシフト信号１１０２との差と、符号間干渉の影響が少ない長い記録マークの後エッジ部を再生した後エッジ部再生信号１１０３と、後エッジ部再生信号１１０３を１チャネルクロック分シフトさせた後エッジ部１Ｔシフト信号１１０４との差との平均を求めた信号を１Ｔ孤立信号１１０５とする。
【００５４】
このように求めた１Ｔ孤立信号を、対応したチャネルクロック分だけ足し合わせた信号と、記録マークのエッジ位置を一定長ずらしただけの数値計算実験によって得られた再生信号との比較結果を図５〜図８に示す。図５〜図８において、横軸は、チャネルクロックごとの時間を表し、縦軸は、再生信号及び足し合わせた信号の、信号レベルを表している。
【００５５】
図５は、１Ｔ長さが７５．０ｎｍである場合の２Ｔから８Ｔの記録マークの再生信号及び足し合わせた信号の比較結果を示す図である。図６は、１Ｔ長さが５５．０ｎｍである場合の２Ｔから８Ｔの記録マークの再生信号及び足し合わせた信号の比較結果を示す図である。図７は、１Ｔ長さが３７．５ｎｍである場合の２Ｔから８Ｔの記録マークの再生信号及び足し合わせた信号の比較結果を示す図である。図８は、１Ｔ長さが２７．５ｎｍである場合の２Ｔから８Ｔの記録マークの再生信号及び足し合わせた信号の比較結果を示す図である。
【００５６】
図５に示すように、１Ｔ長さが７５．０ｎｍである場合、２Ｔから８Ｔまで全てにおいて、再生信号と、足し合わせ信号とが略一致していることがわかる。図６に示すように、１Ｔ長さが５５．０ｎｍである場合、２Ｔ（１１０．０ｎｍ）において、再生信号と、足し合わせ信号とに差異がある。次に、図７に示すように、１Ｔ長さが３７．５ｎｍである場合、２Ｔ（７５．０ｎｍ）及び３Ｔ（１１２．５ｎｍ）において、再生信号と、足し合わせ信号とに差異がある。最後に、図８に示すように、１Ｔ長さが２７．５ｎｍである場合、２Ｔ（５５．０ｎｍ）から４Ｔ（１１０．０ｎｍ）までにおいて、再生信号と、足し合わせ信号とに差異がある。この結果から、エッジ位置を一定長ずらしただけでは、Ｐｃｕｔｏｆｆよりも小さい記録マークにおいて、再生信号と、足し合わせた信号との差異が生じることがわかった。
【００５７】
また、本発明者らは、上記の数値計算実験により、１Ｔ長さ及び記録マーク長さが短くなるほど、足し合わせた信号からのずれが大きくなっていることを見出した。これは、１Ｔ長さ及び記録マーク長さが短くなる記録マークに対して、線形な再生信号処理を行うと、記録マーク長さが短いほど、ずれ量が大きくなり、再生信号のＳＮＲが悪化することを示している。
【００５８】
ここで、１Ｔ長さが、５５．０ｎｍ、３７．５ｎｍ及び２７．５ｎｍである場合を例にして、２Ｔから８Ｔまでの記録マークの再生信号と、１Ｔ孤立信号を足し合わせた信号との差異が最も小さくなる記録マーク長さを導出した。
【００５９】
ここで、レーザ光の波長、レンズの開口数、記録マークの形状、トラックピッチ、グルーブ幅、長い記録マークの幅は、上記の数値計算実験と同じ条件とした。
【００６０】
また、レーザ光の強度分布Ａ（ｘ０，ｙ０）は、ガウス分布とした。レンズの開口の分布ｌ（ｘ０，ｙ０）は、レンズ半径内を“１”とし、レンズ半径外を“０”とする分布とした。記録面の反射率分布Ｒ（ｘ，ｙ）は、非記録マーク部の反射率を２０％とし、記録マーク部の反射率を６％として計算した。
【００６１】
以上の条件により、計算した結果を図９に示す。図９は、本実施の形態において、１Ｔ長さが、５５．０ｎｍ、３７．５ｎｍ及び２７．５ｎｍである場合のチャネルクロック長さと記録マーク長さの調整量との関係を示す図である。図９において、横軸は、チャネルクロック長さｎＴ（ｎ：整数）であり、縦軸は、１Ｔ孤立信号をｎチャネルクロック分足し合わせた信号と、数値計算により求めた再生信号との差異が最も小さくなるように調整した記録マーク長さの調整量である。１Ｔ長さが５５．０ｎｍであるとき、チャネルクロック長さが４Ｔ以上である記録マークの調整量は、ほぼ一定であり、この調整量のとき、再生信号と、足し合わせた信号との差異が最も小さくなっている。しかしながら、チャネルクロック長さが２Ｔ及び３Ｔである記録マークの調整量は一定になっていなかった。３Ｔの調整量に関しては、ＳＮＲの影響が小さければ、４Ｔ以上の調整量とほぼ一緒としてもよい。また、１Ｔ長さが５５．０ｎｍより短いとき、調整量が一定でない記録マークが増えている。さらに、１Ｔを超える調整量が必要となるケースがあることも数値計算実験によってわかった。
【００６２】
これにより、本発明者らは、ビームスポット内に複数個同時に存在できるほどの小さな記録マークを含んだ高密度記録を行う場合、長さ及び幅が異なる全ての記録マークに対して、ずれ量が小さくなり、かつＳＮＲが高くなる再生信号が得られる各記録マーク長さの関係性を明らかにした。
【００６３】
以下本発明の実施の形態について、図面を参照しながら説明する。なお、以下の実施の形態は、本発明を具体化した一例であって、本発明の技術的範囲を限定するものではない。
【００６４】
（実施の形態１）
図１０は、本発明の実施の形態１における光情報記録媒体上に形成された種々の長さの記録マークを示す図である。
【００６５】
図１０において、情報７０１は、チャネルクロックＴごとの２値データであり、記録マークのエッジ位置が“１”となるＮＲＺＩ（Ｎｏｎ  Ｒｅｔｕｒｎ  ｔｏ  Ｚｅｒｏ  Ｉｎｖｅｒｔｅｄ）信号である。情報７０１の“１”から“１”までのチャネルクロック長に対応した長さｎＴ（例えば、ｎ＝２〜８の整数）が、記録マーク又は非記録マーク（スペース）の基準長さとなる。記録マークの基準長さが記録マークの幅よりも大きい記録マーク（例えば、５Ｔマーク７０５、６Ｔマーク（不図示）、７Ｔマーク（不図示）及び８Ｔマーク７０６）において、前エッジ部の基準長さからの調整量は、ｂｌｏｎｇであり、後エッジ部の基準長さからの調整量は、ｃｌｏｎｇである。
【００６６】
これに対し、記録マークの基準長さが記録マークの幅よりも小さい記録マーク（例えば、２Ｔマーク７０２、３Ｔマーク７０３及び４Ｔマーク７０４）において、２Ｔマークの前エッジ部の基準長さからの調整量は、ｂ２Ｔであり、２Ｔマークの後エッジ部の基準長さからの調整量は、ｃ２Ｔであり、３Ｔマークの前エッジ部の基準長さからの調整量は、ｂ３Ｔであり、３Ｔマークの後エッジ部の基準長さからの調整量は、ｃ３Ｔであり、４Ｔマークの前エッジ部の基準長さからの調整量は、ｂ４Ｔであり、４Ｔマークの後エッジ部の基準長さからの調整量は、ｃ４Ｔである。
【００６７】
このとき、それぞれの記録マークの調整量は以下の式（７）の関係を満たす。
【００６８】
ｂ２Ｔ＋ｃ２Ｔ＞ｂ３Ｔ＋ｃ３Ｔ＞ｂ４Ｔ＋ｃ４Ｔ≧ｂｌｏｎｇ＋ｃｌｏｎｇ・・・・（７）
【００６９】
短い記録マークほど、記録マークの長さの調整量を大きくすることで、再生したときに、略線形性を保った再生信号を得ることができる。
【００７０】
この調整量を用いた、光情報記録媒体上への記録マークの形成は、工場で製造される際のプレピットの形成、ＲＯＭ（Ｒｅａｄ  Ｏｎｌｙ  Ｍｅｍｏｒｙ）の作成、及び光情報記録媒体の使用者がユーザデータを記録する際の記録マークの形成において、ほぼ同様に行われる。
【００７１】
また、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす。
【００７２】
さらに、ｄからｋ−２の範囲をとる整数をｘとし、ｄ＋１からｋ−１の範囲をとる整数をｙとし、ｘ＜ｙとしたとき、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす。
【００７３】
かかる構成によれば、光情報記録媒体に形成される記録マーク長さの調整量を、短い記録マークほど大きくすることにより、略線形性を保った再生信号を得ることが可能となり、ＳＮＲの高い再生信号を得ることが可能な高密度記録を実現することができる。
【００７４】
なお、本実施の形態において、２値データを示す信号としてＮＲＺＩ信号を用いているが、ＮＲＺ（Ｎｏｎ  Ｒｅｔｕｒｎ  ｔｏ  Ｚｅｒｏ）信号など他の形式の２値データを用いてもよい。
【００７５】
なお、本実施の形態において、記録マーク位置及びスペース位置に対する情報は２値データで表されるが、本発明はこれに限定されない。２値以上の多値データで表されてもよい。情報が多値データで表される場合、記録マーク形成による情報の記録は、複数の記録マーク幅を持たせることで多値化させてもよく、反射率変化量を変化させることで多値化させてもよく、記録マークのエッジ位置を１Ｔよりも細かい分解能で制御することで多値化させてもよい。また、記録マークの形成位置を光照射方向に垂直となる深さ方向に変調して記録する位相変調によって多値化させてもよい。
【００７６】
なお、本実施の形態において、４Ｔマーク以下の基準長さが、記録マーク幅よりも小さいとしたが、本発明はこれに限定されない。例えば、記録マーク幅よりも基準長さが小さい記録マークが少なくとも一つ以上あればよい。
【００７７】
なお、本実施の形態において、記録マークの基準長さが記録マークの幅よりも大きい記録マークの幅は全て同じであるが、本発明はこれに限定されない。例えば、記録マークの基準長さが記録マークの幅よりも大きい記録マークの幅が複数ある場合、複数の記録マークの幅の平均値を記録マークの幅としてもよい。
【００７８】
なお、本実施の形態において、記録マーク及びスペースの長さは２Ｔから８Ｔとしているが、本発明はこれに限定されない。最短記録マーク長は３Ｔ又は４Ｔなど、２Ｔより長くてもよい。また、最長記録マーク長は８Ｔ以下又は８Ｔ以上としてもよい。
【００７９】
なお、本実施の形態において、各チャネルクロック長に対してそれぞれ同じ長さの記録マークが形成されるが、本発明はこれに限定されない。例えば、記録マーク間のスペースが非常に短いとき、符号間干渉が起こる。そこで、符号間干渉の影響を除くため、同じチャネルクロック長であっても、記録マークの前後のスペースの長さによって、記録マークの調整量が異なってもよい。
【００８０】
（実施の形態２）
本発明の実施の形態２の光情報記録媒体は、実施の形態１で述べたように、記録マークの長さが短くなるほど、基準長さに対する調整量が大きくなる記録マークを形成するための記録パラメータを、コントロール情報格納部に格納する。
【００８１】
図１１は、本発明の実施の形態２における光情報記録媒体の構成を示す図である。
【００８２】
図１１に示す光情報記録媒体３０１は、ユーザ領域３０２、内周側コントロール領域３０３及び外周側コントロール領域３０４を備える。
【００８３】
ユーザ領域３０２は、ユーザデータを記録している。内周側コントロール領域３０３は、ユーザ領域３０２の内周側に設けられ、記録マークによって光情報記録媒体３０１の管理情報及び物理特性情報などを記録している。外周側コントロール領域３０４は、ユーザ領域３０２の外周側に設けられ、内周側コントロール領域３０３と同様に、記録マークによって光情報記録媒体３０１の管理情報及び物理特性情報などを記録している。
【００８４】
内周側コントロール領域３０３は、コントロール情報格納部３０５を含む。コントロール情報格納部３０５は、記録マークを形成するための記録パラメータを格納する。記録パラメータは、工場で製造される際にプリ情報として記録されている。
【００８５】
また、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、記録パラメータは、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす記録マークを形成するための記録パラメータを含む。
【００８６】
さらに、ｄからｋ−２の範囲をとる整数をｘとし、ｄ＋１からｋ−１の範囲をとる整数をｙとし、ｘ＜ｙとしたとき、記録パラメータは、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす記録マークを形成するための記録パラメータを含む。
【００８７】
かかる構成によれば、光情報記録媒体３０１が異なる光情報記録再生装置に装填されても、記録マークが適切な長さで光情報記録媒体３０１上に形成され、略線形性を保った再生信号を得ることが可能となり、ＳＮＲの高い再生信号を得ることが可能な高密度記録を実現することができる。
【００８８】
なお、本実施の形態において、記録パラメータは、工場で製造される際にプリ情報として光情報記録媒体３０１のコントロール情報格納部３０５に記録されるが、本発明はこれに限定されない。例えば、プリ情報の有無に関係なく、記録動作を行った光情報記録再生装置が、光情報記録媒体３０１のコントロール情報格納部３０５に記録パラメータを記録してもよい。また、コントロール情報格納部の有無に関係なく、光情報記録媒体のアドレス情報の副情報として、記録パラメータが記録されていても同様な効果が得られる。
【００８９】
なお、本実施の形態において、各チャネルクロック長に対してそれぞれ同じ長さの記録マークが形成されるが、本発明はこれに限定されない。例えば、記録マーク間のスペースが非常に短いとき、符号間干渉が起こる。そこで、符号間干渉の影響を除くため、コントロール情報格納部３０５は、同じチャネルクロック長であっても、記録マークの前後のスペースの長さによって、記録マークの調整量が異なる記録パラメータを記録してもよい。
【００９０】
また、本実施の形態では、内周側コントロール領域３０３がコントロール情報格納部３０５を含んでいるが、本発明は特にこれに限定されず、外周側コントロール領域３０４又はユーザ領域３０２がコントロール情報格納部３０５を含んでもよい。
【００９１】
また、本実施の形態では、光情報記録媒体３０１は、内周側コントロール領域３０３及びおよび外周側コントロール領域３０４の両方を有しているが、光情報記録媒体は、内周側コントロール領域３０３及び外周側コントロール領域３０４のいずれか一方のみを有してもよい。
【００９２】
（実施の形態３）
図１２は、本発明の実施の形態３における光情報記録再生装置の構成を示す図である。
【００９３】
光情報記録再生装置８００は、搭載又は挿入された光情報記録媒体８０１から情報を再生する、又は、光情報記録媒体８０１に情報を記録する。光情報記録再生装置８００は、光ヘッド部８０２と、記録部８１０と、再生部８２０と、コントローラ部８０７と、メモリ部８０８とを備える。なお、光情報記録再生装置８００が光情報記録装置の一例に相当する。
【００９４】
光ヘッド部８０２は、レーザ光を出射する光源と、レーザ光を光情報記録媒体８０１に集光するレンズとを備える。
【００９５】
記録部８１０は、光情報記録媒体８０１に記録マークを形成する。記録部８１０は、レーザ制御部８０３と、記録パルス生成部８０４とを備える。
【００９６】
また、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、記録部８１０は、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす記録マークを形成する。
【００９７】
再生部８２０は、再生信号処理部８０５と、データ処理部８０６とを備える。
【００９８】
再生部８２０は、光情報記録媒体８０１に記録マークを形成するための記録パラメータを光情報記録媒体８０１から再生する。記録部８１０は、再生部８２０によって再生された記録パラメータを用いて、光情報記録媒体８０１に記録マークを形成する。
【００９９】
まず、光情報記録再生装置８００の再生動作を説明する。光ヘッド部８０２は、対物レンズを通過したレーザ光を光情報記録媒体８０１の記録面に収束させ、その反射光を受光して、光情報記録媒体８０１に記録された情報を示すアナログ再生信号を生成する。光情報記録媒体８０１から再生されたアナログ再生信号は、再生信号処理部８０５にて信号処理される。再生信号処理部８０５は、アナログ再生信号を２値化した２値化信号をデータ処理部８０６に出力する。データ処理部８０６は、受け取った２値化信号から再生データを生成してコントローラ部８０７に渡す。
【０１００】
次に、光情報記録再生装置８００の記録動作を説明する。コントローラ部８０７は、記録データと記録パルスパラメータ（記録パラメータ）とを記録パルス生成部８０４に出力する。記録パルスパラメータ（記録パラメータ）は、光情報記録媒体８０１のコントロール情報格納部に記録されており、光情報記録媒体８０１のコントロール情報格納部を再生することで得られる。記録パルスパラメータは、各記録マーク長さに対する調整量に対応したレーザ発光パワー及びレーザ発光時間に関するパラメータを含む。記録パルス生成部８０４は、受け取った記録データと記録パルスパラメータとに基づいて、記録信号を生成する。記録パルス生成部８０４は、生成した記録信号をレーザ制御部８０３に出力する。レーザ制御部８０３は、受け取った記録信号に基づいて、光ヘッド部８０２に搭載されたレーザ光源の発光を制御して、光情報記録媒体８０１に記録マークを形成する。これにより、光情報記録媒体８０１に情報が記録される。
【０１０１】
本実施の形態では、光ヘッド部８０２に搭載されたレーザ光源から出射されるレーザ光の波長は４０５ｎｍであり、対物レンズの開口数は０．８５である。
【０１０２】
図１３は、光情報記録媒体８０１の記録面の一部を拡大した図である。本実施の形態では、トラックピッチ９０１は、例えば３１７．５ｎｍであり、グルーブ幅９０２は、例えば１５８．７５ｎｍである。１チャネルクロックの長さは、例えば２７．５ｎｍであり、最短の記録マークは、例えば２Ｔであり、最長の記録マークは、例えば８Ｔである。
【０１０３】
本実施の形態における光情報記録媒体８０１に形成される記録マークの長さについて、図１４を用いて説明する。
【０１０４】
図１４は、本発明の実施の形態３における光情報記録媒体上に形成される記録マークの長さについて説明するための図である。
【０１０５】
図１４において、情報１００１は、チャネルクロックＴごとの２値データを示しており、記録マークのエッジ位置が“１”となるＮＲＺＩ信号を示している。情報１００１の“１”から“１”までのチャネルクロック長に対応した長さｎＴ（例えば、ｎ＝２〜８の整数）が、記録マーク又は非記録マーク（スペース）の基準長さとなる。ｎＴ記録マークの基準長さに対する調整量をｂｎＴ＋ｃｎＴとすると、記録部８１０は、それぞれの記録マークの調整量が以下の式（８）及び式（９）の関係を満たすように記録マークを形成する。
【０１０６】
ｂｘＴ＋ｃｘＴ＞ｂ（ｘ＋１）Ｔ＋ｃ（ｘ＋１）Ｔ・・・・（８）
【０１０７】
ｂｙＴ＋ｃｙＴ≧ｂ（ｙ＋１）Ｔ＋ｃ（ｙ＋１）Ｔ・・・・（９）
【０１０８】
なお、上記の式（８）及び式（９）において、ｘは２〜６の整数であり、ｙは３〜７の整数であり、ｘ＜ｙである。
【０１０９】
すなわち、ｄからｋ−２の範囲をとる整数をｘとし、ｄ＋１からｋ−１の範囲をとる整数をｙとし、ｘ＜ｙとしたとき、記録部８１０は、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす記録マークを形成する。
【０１１０】
特に、短い記録マークほど、記録マークの調整量を大きくすることで、再生したときに、略線形性を保った再生信号を得ることができる。
【０１１１】
ここで、略線形性を保つとは、再生信号と、孤立信号を足し合わせた信号との差異が小さい状態をいう。
【０１１２】
例えば、上述の図４では、符号間干渉の影響が少ない長い記録マークの前エッジ部を再生した前エッジ部再生信号１１０１と、前エッジ部再生信号１１０１を１チャネルクロック分シフトさせた前エッジ部１Ｔシフト信号１１０２との差と、符号間干渉の影響が少ない長い記録マークの後エッジ部を再生した後エッジ部再生信号１１０３と、後エッジ部再生信号１１０３を１チャネルクロック分シフトさせた後エッジ部１Ｔシフト信号１１０４との差の平均を求めた信号を１Ｔ孤立信号１１０５とする。
【０１１３】
かかる構成によれば、光情報記録再生装置によって、光情報記録媒体に形成する記録マーク長さの調整量を、短い記録マークほど大きくして記録マークを形成することにより、再生時に略線形性を保った再生信号を得ることが可能となり、ＳＮＲの高い再生信号を得ることが可能な高密度記録を実現することができる。
【０１１４】
なお、本実施の形態において、２値データを示す信号としてＮＲＺＩ信号を用いているが、ＮＲＺ信号など他の形式の２値データを用いてもよい。
【０１１５】
なお、本実施の形態において、記録マーク位置及びスペース位置に対する情報は２値データで表されるが、本発明はこれに限定されない。２値以上の多値データで表されてもよい。情報が多値データで表される場合、記録マーク形成による情報の記録は、複数の記録マーク幅を持たせることで多値化させてもよく、反射率変化量を変化させることで多値化させてもよく、記録マークのエッジ位置を１Ｔよりも細かい分解能で制御することで多値化させてもよい。また、記録マークの形成位置を光照射方向に垂直となる深さ方向に変調して記録する位相変調によって多値化させてもよい。
【０１１６】
なお、本実施の形態において、グルーブ幅９０２がトラックピッチ９０１の略２分の１になるグルーブ記録方式として説明したが、本発明はこれに限定されない。例えば、グルーブ幅９０２がトラックピッチ９０１と同じとなるランド・グルーブ記録方式でも本実施の形態と同様の効果が得られる。
【０１１７】
なお、本実施の形態において、トラックピッチ９０１、グルーブ幅９０２、レーザ光の波長及びレンズの開口数を具体的な数値で説明したが、これらの数値は一例であり、本発明はこれらの数値に限定されない。
【０１１８】
なお、本実施の形態において、記録マークの基準長さが記録マークの幅よりも大きい記録マークの幅はグルーブ幅９０２と同じであるが、本発明はこれに限定されない。例えば、記録マークの基準長さが記録マークの幅よりも大きい記録マークの幅がグルーブ幅の８０％又は９０％であっても、記録マークの基準長さが記録マークの幅よりも大きい記録マークの幅よりも基準長さが短い記録マークが少なくとも一つ以上存在すればよい。また、記録マークの基準長さが記録マークの幅よりも大きい記録マークの幅が複数ある場合、複数の記録マークの幅の平均値を記録マークの幅としてもよい。
【０１１９】
なお、本実施の形態において、１チャネルクロックの長さは２７．５ｎｍであるとしたが、本発明はこれに限定されない。１チャネルクロックの長さは、例えば、記録マーク幅よりも基準長さが小さい記録マークが少なくとも一つ以上存在する長さであればよい。また、１チャネルクロックの長さが変われば、調整量ｂｎＴ＋ｃｎＴも変わる。
【０１２０】
なお、本実施の形態において、記録マーク及びスペースの長さは２Ｔから８Ｔとしているが、本発明はこれに限定されない。最短記録マーク長は３Ｔ又は４Ｔなど、２Ｔより長くてもよい。また、最長記録マークは８Ｔ以下又は８Ｔ以上としてもよい。
【０１２１】
なお、本実施の形態において、各チャネルクロック長に対してそれぞれ同じ長さの記録マークが形成されるが、本発明はこれに限定されない。例えば、記録マーク間のスペースが非常に短いとき、符号間干渉が起こる。そこで、符号間干渉の影響を除くため、同じチャネルクロック長であっても、記録マークの前後のスペースの長さによって、記録マークの調整量が異なってもよい。
【０１２２】
なお、本実施の形態において、記録パラメータは、工場で製造される際にプリ情報として光情報記録媒体８０１のコントロール情報格納部に記録されるが、本発明はこれに限定されない。例えば、プリ情報の有無に関係なく、記録動作を行った光情報記録再生装置が、記録パラメータを光情報記録媒体８０１のコントロール情報格納部に記録してもよい。また、コントロール情報格納部の有無に関係なく、光情報記録媒体のアドレス情報の副情報として、記録パラメータが記録されていても同様な効果が得られる。
【０１２３】
なお、本実施の形態において、光情報記録再生装置８００は、記録部８１０と再生部８２０とを備えているが、記録部８１０のみを備えてもよい。このとき、メモリ部８０８が予め記録パラメータを記憶していれば、記録パラメータを光情報記録媒体８０１から再生することなく記録動作を行うことが可能となる。すなわち、メモリ部８０８は、光情報記録媒体８０１に記録マークを形成するための記録パラメータを保持してもよい。記録部８１０は、メモリ部８０８に保持されている記録パラメータを用いて、光情報記録媒体８０１に記録マークを形成してもよい。
【０１２４】
なお、本実施の形態１，２における式（７）、式（８）及び式（９）は、各記録マークにおける基準長さからの調整量についての関係式である。記録マークの調整量は、光情報記録媒体上に形成された記録マークに対する物理的な長さである（図１４参照）。
【０１２５】
上記したように、本発明の課題を解決するためには、式（７）の関係、又は式（８）及び式（９）の関係を満たすように、記録マークが形成されればよい。そのため、記録マークを形成するための記録パルスのパルス形状及び条件などは、特に限定されない。
【０１２６】
ここで、記録パルスに関して簡単に説明する。図１５は、２値データに対する記録パルスの一例を示す図である。
【０１２７】
図１５において、情報１３０１は、チャネルクロックＴごとの２値データを示し、記録マークのエッジ位置が“１”となるＮＲＺＩ信号を示す。情報１３０１の“１”から“１”までのチャネルクロック長に対応した長さｎＴ（例えば、ｎ＝２〜８の整数）が、記録マーク又は非記録マーク（スペース）の基準長さとなる。
【０１２８】
記録パルス１３０２は、記録マークを形成するためのレーザ出力である。記録パルス１３０２は、ＮＲＺＩ信号に対応する記録マークに対してそれぞれ設定される。
【０１２９】
光情報記録媒体の記録マークは、一般的に熱量の加熱、あるいは、加熱及び冷却により形成される。図１５における記録パルスは、３つの記録パルスパラメータｄＴｔｏｐ、Ｔｔｏｐ、ｄＴｃが設定され、加熱と冷却とが行われる。
【０１３０】
ｄＴｔｏｐは、基準位置から加熱開始位置を設定する記録パルスパラメータである。Ｔｔｏｐは、加熱時間を設定する記録パルスパラメータである。ｄＴｃは、基準位置からの冷却時間を設定する記録パルスパラメータである。
【０１３１】
図１５では、ｄＴｔｏｐは、ＮＲＺＩ信号の立ち上がり位置を基準位置とし、ｄＴｃは、ＮＲＺＩ信号の立ち下がり位置を基準位置としている。ただし、ｄＴｔｏｐ又はｄＴｃの基準位置はこれに限定されない。例えば、ｄＴｔｏｐは、ＮＲＺＩ信号の立ち上がり位置から１Ｔ遅れた位置を基準位置としてもよい。また、ｄＴｃは、ＮＲＺＩ信号の立ち下がり位置から１Ｔ進んだ位置を基準位置としてもよい。
【０１３２】
なお、図１５における記録パルス１３０２は、モノパルスである。記録パルス１３０２は、モノパルス以外にも、図１６（Ａ）〜図１６（Ｃ）に示すような記録パルスであってもよい。図１６（Ａ）は、記録パルスがＬ型パルスである場合のパルス波形の一例を示す図であり、図１６（Ｂ）は、記録パルスがＣａｓｔｌｅ型パルスである場合のパルス波形の一例を示す図であり、図１６（Ｃ）は、記録パルスがマルチパルスである場合のパルス波形の一例を示す図である。記録パルスの設定では、光情報記録媒体の記録特性に適した記録パルスが選択される。そのため、記録マークの長さに応じて、異なる記録パルスが設定されてもよい。例えば、２Ｔ記録マークはモノパルスであり、３Ｔ記録マークはＬ型パルスであり、４Ｔ以上の記録マークはＣａｓｔｌｅ型パルスであってもよい。
【０１３３】
図１５において、２Ｔ記録マークに対応するＴｔｏｐはＴｔｏｐ２Ｔ、２Ｔ記録マークに対応するｄＴｔｏｐはｄＴｔｏｐ２Ｔ、２Ｔ記録マークに対応するｄＴｃはｄＴｃ２Ｔと表現する。他の記録マークに対しても同様に表現する。
【０１３４】
このように、各記録マークに対する記録パルスパラメータＴｔｏｐ、ｄＴｔｏｐ、ｄＴｃが設定され、各記録マークは、式（７）の関係、又は式（８）及び式（９）の関係を満たすように形成される。
【０１３５】
各チャネルクロック長の記録パルスパラメータＴｔｏｐは、例えば以下の式（１０）の関係となるように設定される。
【０１３６】
Ｔｔｏｐ２Ｔ／２＞Ｔｔｏｐ３Ｔ／３＞Ｔｔｏｐ４Ｔ／４≧ＴｔｏｐｎＴ／ｎ  （ｎは５以上の整数）・・・・（１０）
【０１３７】
上記の式（１０）は、Ｔｔｏｐの設定値に応じて記録マークの長さが変化する光情報記録媒体に対して、式（７）の関係、又は式（８）及び式（９）の関係を満足することができる。なお、式（１０）において、Ｔｔｏｐを長さにより除算しているのは、記録マークの長さに依存せず、単位長さあたりの長さで比較するためである。
【０１３８】
また、各チャネルクロック長の記録パルスパラメータｄＴｔｏｐは、例えば以下の式（１１）の関係となるように設定される。
【０１３９】
ｄＴｔｏｐ２Ｔ＞ｄＴｔｏｐ３Ｔ＞ｄＴｔｏｐ４Ｔ≧ｄＴｔｏｐｎＴ  （ｎは５以上の整数）・・・・（１１）
【０１４０】
上記の式（１１）は、ｄＴｔｏｐの設定値により記録マークの開始位置が変化し、記録マークの終了位置が各記録マークで同じ位置になる光情報記録媒体に対して、式（７）の関係、又は式（８）及び式（９）の関係を満足することができる。
【０１４１】
さらに、各チャネルクロック長の記録パルスパラメータｄＴｃは、例えば以下の式（１２）の関係となるように設定される。
【０１４２】
ｄＴｃ２Ｔ＞ｄＴｃ３Ｔ＞ｄＴｃ４Ｔ≧ｄＴｃｎＴ  （ｎは５以上の整数）・・・・（１２）
【０１４３】
上記の式（１２）は、ｄＴｃの設定値により記録マークの終了位置が変化し、記録マークの開始位置が各記録マークで同じ位置になる光情報記録媒体に対して、式（７）の関係、又は式（８）及び式（９）の関係を満足することができる。
【０１４４】
なお、記録マークの長さに応じて異なる記録パルスが設定される場合、すなわち、例えば、２Ｔ〜４Ｔ記録マークはモノパルスで形成され、５Ｔ以上の記録マークはＣａｓｔｌｅ型パルスで形成される場合、同一の記録パルスが設定されるチャネルクロック長の範囲（例えば、２Ｔ〜４Ｔ）の記録パルスパラメータは、式（１０）、式（１１）及び式（１２）のいずれかで設定されてもよい。
【０１４５】
また、記録パルスの形状が異なっても、同じパワーレベルにおける記録時間を、記録マークの長さで正規化した単位長さあたりの記録時間に換算し、式（７）の関係、又は式（８）及び式（９）の関係を満足する記録条件を設定してもよい。
【０１４６】
すなわち、ｎＴ記録マークを形成するための記録パルスにおける単位長さあたりの記録時間をＷｎＴとし、ｄからｋ−２の範囲をとる整数をｐとし、ｄ＋１からｋ−１の範囲をとる整数をｑとし、ｐ＜ｑとしたとき、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たす。
【０１４７】
このように、光情報記録媒体の記録特性に適した記録パルスを設定することで、式（７）の関係、又は式（８）及び式（９）の関係を満たすように記録マークを形成することができる。
【０１４８】
なお、式（８）及び式（９）は、記録マークの長さに関する関係式である。記録マークの位置（位相）に関しては、以下の式（１３）の関係を満たすことがより望ましい。
【０１４９】
ｂ２Ｔ−ｃ２Ｔ＝ｂ３Ｔ−ｃ３Ｔ＝ｂ４Ｔ−ｃ４Ｔ＝ｂｌｏｎｇ−ｃｌｏｎｇ・・・・（１３）
【０１５０】
上記の式（１３）の関係が満足できれば、各記録マークの中心位置が相対的に同じになる。すなわち、各記録マークにおける位置ずれがないため、エラーが少ない再生信号が得られる。
【０１５１】
なお、上述した具体的実施形態には以下の構成を有する発明が主に含まれている。
【０１５２】
本発明の一局面に係る光情報記録媒体は、種々の長さの複数の記録マークを形成することで、情報を記録する光情報記録媒体であって、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす。
【０１５３】
この構成によれば、最短記録マークｄＴの前エッジ部の長さ調整量ｂｄＴ及び後エッジ部の長さ調整量ｃｄＴが、最長記録マークｋＴの前エッジ部の長さ調整量ｂｋＴ及び最長記録マークｄＴの後エッジ部の長さ調整量ｃｋＴよりも大きくなるので、略線形性を保った再生信号を得ることが可能となり、再生歪を抑制したＳＮＲの高い再生信号を得ることが可能となる。その結果、より高密度に記録マークを形成することができる。
【０１５４】
また、上記の光情報記録媒体において、前記ｄからｋ−２の範囲をとる整数をｘとし、ｄ＋１からｋ−１の範囲をとる整数をｙとし、ｘ＜ｙとしたとき、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たすことが好ましい。
【０１５５】
この構成によれば、長さが短い記録マークほど、調整量が大きくなるので、再生時に略線形性を保った再生信号を得ることが可能となり、ＳＮＲの高い再生信号を得ることが可能な高密度記録を実現することができる。
【０１５６】
また、上記の光情報記録媒体において、前記光情報記録媒体から情報を読み出すためのレーザ光の波長をλとし、前記レーザ光を前記光情報記録媒体に集光させるレンズの開口数をＮＡとしたとき、前記複数の記録マークは、λ／（４×ＮＡ）よりも短い記録マークを含むことが好ましい。
【０１５７】
この構成によれば、複数の記録マークは、λ／（４×ＮＡ）よりも短い記録マークを含むので、ＭＴＦカットオフよりも短い記録マークを含んだ高密度記録において、再生歪を抑制し、エラーの少ない大容量の情報記録を実現することができる。
【０１５８】
また、上記の光情報記録媒体において、前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たすことが好ましい。
【０１５９】
この構成によれば、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たすので、長さが短い記録マークほど、調整量が大きくなる記録マークを形成することができる。
【０１６０】
本発明の他の局面に係る光情報記録媒体は、種々の長さの複数の記録マークを形成することで、情報を記録する光情報記録媒体であって、前記光情報記録媒体は、記録パラメータを格納するコントロール情報格納部を備え、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、前記記録パラメータは、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす記録マークを形成するための記録パラメータを含む。
【０１６１】
この構成によれば、最短記録マークｄＴの前エッジ部の長さ調整量ｂｄＴ及び後エッジ部の長さ調整量ｃｄＴが、最長記録マークｋＴの前エッジ部の長さ調整量ｂｋＴ及び最長記録マークｄＴの後エッジ部の長さ調整量ｃｋＴよりも大きくなるので、略線形性を保った再生信号を得ることが可能となり、再生歪を抑制したＳＮＲの高い再生信号を得ることが可能となる。その結果、より高密度に記録マークを形成することができる。
【０１６２】
また、上記の光情報記録媒体において、前記ｄからｋ−２の範囲をとる整数をｘとし、ｄ＋１からｋ−１の範囲をとる整数をｙとし、ｘ＜ｙとしたとき、前記記録パラメータは、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす記録マークを形成するための記録パラメータを含むことが好ましい。
【０１６３】
この構成によれば、長さが短い記録マークほど、調整量が大きくなるので、再生時に略線形性を保った再生信号を得ることが可能となり、ＳＮＲの高い再生信号を得ることが可能な高密度記録を実現することができる。
【０１６４】
また、上記の光情報記録媒体において、前記光情報記録媒体から情報を読み出すためのレーザ光の波長をλとし、前記レーザ光を前記光情報記録媒体に集光させるレンズの開口数をＮＡとしたとき、前記複数の記録マークは、λ／（４×ＮＡ）よりも短い記録マークを含むことが好ましい。
【０１６５】
この構成によれば、複数の記録マークは、λ／（４×ＮＡ）よりも短い記録マークを含むので、ＭＴＦカットオフよりも短い記録マークを含んだ高密度記録において、再生歪を抑制し、エラーの少ない大容量の情報記録を実現することができる。
【０１６６】
また、上記の光情報記録媒体において、前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たすことが好ましい。
【０１６７】
この構成によれば、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たすので、長さが短い記録マークほど、調整量が大きくなる記録マークを形成することができる。
【０１６８】
本発明の他の局面に係る光情報記録装置は、種々の長さの複数の記録マークを光情報記録媒体に形成することで、情報を記録する光情報記録装置であって、レーザ光を出射する光源と、前記レーザ光を前記光情報記録媒体に集光するレンズと、前記光情報記録媒体に記録マークを形成する記録部とを備え、チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、前記記録部は、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｄＴの後エッジ部の長さ調整量ｃｋＴが、ｂｄＴ＋ｃｄＴ＞ｂｋＴ＋ｃｋＴを満たす前記記録マークを形成する。
【０１６９】
この構成によれば、最短記録マークｄＴの前エッジ部の長さ調整量ｂｄＴ及び後エッジ部の長さ調整量ｃｄＴが、最長記録マークｋＴの前エッジ部の長さ調整量ｂｋＴ及び最長記録マークｄＴの後エッジ部の長さ調整量ｃｋＴよりも大きくなるので、略線形性を保った再生信号を得ることが可能となり、再生歪を抑制したＳＮＲの高い再生信号を得ることが可能となる。その結果、より高密度に記録マークを形成することができる。
【０１７０】
また、上記の光情報記録装置において、前記ｄからｋ−２の範囲をとる整数をｘとし、ｄ＋１からｋ−１の範囲をとる整数をｙとし、ｘ＜ｙとしたとき、前記記録部は、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす前記記録マークを形成することが好ましい。
【０１７１】
この構成によれば、長さが短い記録マークほど、調整量が大きくなるので、再生時に略線形性を保った再生信号を得ることが可能となり、ＳＮＲの高い再生信号を得ることが可能な高密度記録を実現することができる。
【０１７２】
また、上記の光情報記録装置において、前記光情報記録媒体に前記記録マークを形成するための記録パラメータを前記光情報記録媒体から再生する再生部をさらに備え、前記記録部は、前記再生部によって再生された前記記録パラメータを用いて、前記光情報記録媒体に前記記録マークを形成することが好ましい。
【０１７３】
この構成によれば、光情報記録媒体に記録マークを形成するための記録パラメータが光情報記録媒体から再生されるので、再生された光情報記録媒体に応じた記録パラメータが設定され、光情報記録媒体に記録マークを形成することができる。
【０１７４】
また、上記の光情報記録装置において、前記光情報記録媒体に前記記録マークを形成するための記録パラメータを保持するメモリ部をさらに備え、前記記録部は、前記メモリ部に保持されている前記記録パラメータを用いて、前記光情報記録媒体に前記記録マークを形成することが好ましい。
【０１７５】
この構成によれば、光情報記録媒体に記録マークを形成するための記録パラメータがメモリ部に保持されているので、記録パラメータを光情報記録媒体から再生することなく光情報記録媒体に記録マークを形成することができる。
【０１７６】
また、上記の光情報記録装置において、前記光源から出射される前記レーザ光の波長をλとし、前記レンズの開口数をＮＡとしたとき、前記複数の記録マークは、λ／（４×ＮＡ）よりも短い記録マークを含むことが好ましい。
【０１７７】
この構成によれば、複数の記録マークは、λ／（４×ＮＡ）よりも短い記録マークを含むので、ＭＴＦカットオフよりも短い記録マークを含んだ高密度記録において、再生歪を抑制し、エラーの少ない大容量の情報記録を実現することができる。
【０１７８】
また、上記の光情報記録装置において、前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、前記記録部は、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たすことが好ましい。
【０１７９】
この構成によれば、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、ＷｐＴ＞Ｗ（ｐ＋１）Ｔを満たすとともに、記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、ＷｑＴ≧Ｗ（ｑ＋１）Ｔを満たすので、長さが短い記録マークほど、調整量が大きくなる記録マークを形成することができる。
【０１８０】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１８１】
本発明にかかる光情報記録媒体及び光情報記録装置は、より高密度に記録マークを形成することができ、種々の長さの複数の記録マークを形成することで、情報を記録する光情報記録媒体及び光情報記録装置に有用である。
【図１】
2014054275.tif 000009
【図２】
2014054275.tif 000010
【図３】
2014054275.tif 000011
【図４】
2014054275.tif 000012
【図５】
2014054275.tif 000013
【図６】
2014054275.tif 000014
【図７】
2014054275.tif 000015
【図８】
2014054275.tif 000016
【図９】
2014054275.tif 000017
【図１０】
2014054275.tif 000018
【図１１】
2014054275.tif 000019
【図１２】
2014054275.tif 000020
【図１３】
2014054275.tif 000021
【図１４】
2014054275.tif 000022
【図１５】
2014054275.tif 000023
【図１６】
2014054275.tif 000024
【図１７】
2014054275.tif 000025
【図１８】
2014054275.tif 000026
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
種々の長さの複数の記録マークを形成することで、情報を記録する光情報記録媒体であって、
チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、
最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｋＴの後エッジ部の長さ調整量ｃｋＴが、
ｂｄＴ＋ｃｄＴ＞ｂｋＴ＋ｃｋＴ
を満たし、かつ、
前記最短記録マークｄＴの幅は、前記最長記録マークｋＴの幅よりも小さいことを特徴とする光情報記録媒体。
【請求項２】
前記ｄからｋ−２の範囲をとる整数をｘとし、ｄ＋１からｋ−１の範囲をとる整数をｙとし、ｘ＜ｙとしたとき、
記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、
ｂｘＴ＋ｃｘＴ＞ｂ（ｘ＋１）Ｔ＋ｃ（ｘ＋１）Ｔ
を満たすとともに、
記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、
ｂｙＴ＋ｃｙＴ≧ｂ（ｙ＋１）Ｔ＋ｃ（ｙ＋１）Ｔ
を満たすことを特徴とする請求項１記載の光情報記録媒体。
【請求項３】
前記光情報記録媒体から情報を読み出すためのレーザ光の波長をλとし、前記レーザ光を前記光情報記録媒体に集光させるレンズの開口数をＮＡとしたとき、
前記複数の記録マークは、λ／（４×ＮＡ）よりも短い記録マークを含むことを特徴とする請求項１又は２記載の光情報記録媒体。
【請求項４】
前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、
記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、
ＷｐＴ＞Ｗ（ｐ＋１）Ｔ
を満たすとともに、
記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、
ＷｑＴ≧Ｗ（ｑ＋１）Ｔ
を満たすことを特徴とする請求項１〜３のいずれかに記載の光情報記録媒体。
【請求項５】
種々の長さの複数の記録マークを形成することで、情報を記録する光情報記録媒体であって、
前記光情報記録媒体は、記録パラメータを格納するコントロール情報格納部を備え、
チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、
前記記録パラメータは、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｋＴの後エッジ部の長さ調整量ｃｋＴが、ｂｄＴ＋ｃｄＴ＞ｂｋＴ＋ｃｋＴを満たし、かつ、前記最短記録マークｄＴの幅は、前記最長記録マークｋＴの幅よりも小さい記録マークを形成するための記録パラメータを含むことを特徴とする光情報記録媒体。
【請求項６】
前記ｄからｋ−２の範囲をとる整数をｘとし、ｄ＋１からｋ−１の範囲をとる整数をｙとし、ｘ＜ｙとしたとき、
前記記録パラメータは、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす記録マークを形成するための記録パラメータを含むことを特徴とする請求項５記載の光情報記録媒体。
【請求項７】
前記光情報記録媒体から情報を読み出すためのレーザ光の波長をλとし、前記レーザ光を前記光情報記録媒体に集光させるレンズの開口数をＮＡとしたとき、
前記複数の記録マークは、λ／（４×ＮＡ）よりも短い記録マークを含むことを特徴とする請求項５又は６記載の光情報記録媒体。
【請求項８】
前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、
記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、
ＷｐＴ＞Ｗ（ｐ＋１）Ｔ
を満たすとともに、
記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、
ＷｑＴ≧Ｗ（ｑ＋１）Ｔ
を満たすことを特徴とする請求項５〜７のいずれかに記載の光情報記録媒体。
【請求項９】
種々の長さの複数の記録マークを光情報記録媒体に形成することで、情報を記録する光情報記録装置であって、
レーザ光を出射する光源と、
前記レーザ光を前記光情報記録媒体に集光するレンズと、
前記光情報記録媒体に記録マークを形成する記録部とを備え、
チャネルクロック基準に対して、ｎＴ記録マーク（ｎ：整数、Ｔ：チャネルクロック長）の前エッジ部の長さ調整量をｂｎＴとし、後エッジ部の長さ調整量をｃｎＴとし、ｎの最小値をｄとし、ｎの最大値をｋとすると、
前記記録部は、最短記録マークｄＴの前エッジ部の長さ調整量ｂｄＴ、最短記録マークｄＴの後エッジ部の長さ調整量ｃｄＴ、最長記録マークｋＴの前エッジ部の長さ調整量ｂｋＴ及び最長記録マークｋＴの後エッジ部の長さ調整量ｃｋＴが、ｂｄＴ＋ｃｄＴ＞ｂｋＴ＋ｃｋＴを満たし、かつ、前記最短記録マークｄＴの幅は、前記最長記録マークｋＴの幅よりも小さい前記記録マークを形成することを特徴とする光情報記録装置。
【請求項１０】
前記ｄからｋ−２の範囲をとる整数をｘとし、ｄ＋１からｋ−１の範囲をとる整数をｙとし、ｘ＜ｙとしたとき、
前記記録部は、記録マークｘＴの前エッジ部の長さ調整量ｂｘＴ、記録マークｘＴの後エッジ部の長さ調整量ｃｘＴ、記録マーク（ｘ＋１）Ｔの前エッジ部の長さ調整量ｂ（ｘ＋１）Ｔ及び記録マーク（ｘ＋１）Ｔの後エッジ部の長さ調整量ｃ（ｘ＋１）Ｔが、ｂｘＴ＋ｃｘＴ＞ｂ（ｘ＋１）Ｔ＋ｃ（ｘ＋１）Ｔを満たすとともに、記録マークｙＴの前エッジ部の長さ調整量ｂｙＴ、記録マークｙＴの後エッジ部の長さ調整量ｃｙＴ、記録マーク（ｙ＋１）Ｔの前エッジ部の長さ調整量ｂ（ｙ＋１）Ｔ及び記録マーク（ｙ＋１）Ｔの後エッジ部の長さ調整量ｃ（ｙ＋１）Ｔが、ｂｙＴ＋ｃｙＴ≧ｂ（ｙ＋１）Ｔ＋ｃ（ｙ＋１）Ｔを満たす前記記録マークを形成することを特徴とする請求項９記載の光情報記録装置。
【請求項１１】
前記光情報記録媒体に前記記録マークを形成するための記録パラメータを前記光情報記録媒体から再生する再生部をさらに備え、
前記記録部は、前記再生部によって再生された前記記録パラメータを用いて、前記光情報記録媒体に前記記録マークを形成することを特徴とする請求項９又は１０記載の光情報記録装置。
【請求項１２】
前記光情報記録媒体に前記記録マークを形成するための記録パラメータを保持するメモリ部をさらに備え、
前記記録部は、前記メモリ部に保持されている前記記録パラメータを用いて、前記光情報記録媒体に前記記録マークを形成することを特徴とする請求項９又は１０記載の光情報記録装置。
【請求項１３】
前記光源から出射される前記レーザ光の波長をλとし、前記レンズの開口数をＮＡとしたとき、
前記複数の記録マークは、λ／（４×ＮＡ）よりも短い記録マークを含むことを特徴とする請求項９〜１２のいずれかに記載の光情報記録装置。
【請求項１４】
前記ｎＴ記録マークを形成するための記録パルスにおける単位長さあたりの記録時間をＷｎＴとし、前記ｄからｋ−２の範囲をとる整数をｐとし、ｄ＋１からｋ−１の範囲をとる整数をｑとし、ｐ＜ｑとしたとき、
前記記録部は、記録マークｐＴを形成するための記録パルスにおける単位長さあたりの記録時間ＷｐＴ及び記録マーク（ｐ＋１）Ｔを形成するための記録パルスにおける単位長さあたりの記録時間Ｗ（ｐ＋１）Ｔが、
ＷｐＴ＞Ｗ（ｐ＋１）Ｔ
を満たすとともに、
記録マークｑＴを形成するための記録パルスにおける単位長さあたりの記録時間ＷｑＴ及び記録マーク（ｑ＋１）Ｔを形成するための記録パルスにおける単位長さあたりの記録時間Ｗ（ｑ＋１）Ｔが、
ＷｑＴ≧Ｗ（ｑ＋１）Ｔ
を満たすことを特徴とする請求項９〜１３のいずれかに記載の光情報記録装置。
【国際調査報告】
2014054275.tif 000027
2014054275.tif 000028
2014054275.tif 000029
2014054275.tif 000030